(57)【要約】【課題】簡単な加工及び組立作業で低廉化を図ることができ、しかも、アンテナ部材を延出姿勢と傾斜姿勢とに切り換えることを良好に行なえるアンテナを提供する。【解決手段】アンテナ支持部材１が、半球状の内周面４ａを備えかつ切り欠き部４ｂが形成された先端部４を備えた筒状に構成され、アンテナ部材２の基端部６に取り付けられ、且つ、切り欠き部４ｂを通して揺動自在にアンテナ支持部材１における先端部４の内周面４ａに嵌合する球状嵌合部材５と、アンテナ支持部材１の内部に収容されるとともに、球状嵌合部材５に接触する球体７と、アンテナ支持部材１の内部に収容されて球体７を球状嵌合部材５に押し付けるスプリング９とが設けられ、アンテナ部材２を傾斜姿勢に切り換えたときに球体５が係合する周溝部５ｃ、及び、アンテナ部材２を延出姿勢に切り換えたときに球体５が係合する凹部５ｄが、球状嵌合部材５に形成されている。【選択図】図２
2009010735.tif 000002
【特許請求の範囲】
【請求項１】
棒状のアンテナ支持部材と、
前記アンテナ支持部材と略同じ方向に向けて延出する延出姿勢と前記アンテナ支持部材に対して傾斜する方向に向ける傾斜姿勢とに切り換えることができるように、前記アンテナ支持部材にて揺動自在に支持される棒状のアンテナ部材とが設けられたアンテナであって、
前記アンテナ支持部材が、半球状の内周面を備えかつ切り欠き部が形成された先端部を備えた筒状に構成され、
前記アンテナ部材の基端部に取り付けられ、且つ、前記切り欠き部を通して揺動自在に前記アンテナ支持部材における前記先端部の内周面に嵌合する球状嵌合部材と、前記アンテナ支持部材の内部に収容されるとともに、前記球状嵌合部材に接触する球体と、前記アンテナ支持部材の内部に収容されて前記球体を前記球状嵌合部材に押し付けるスプリングとが設けられ、
前記アンテナ部材を前記傾斜姿勢に切り換えたときに前記球体が係合する周溝部、及び、前記アンテナ部材を前記延出姿勢に切り換えたときに前記球体が係合する凹部が、前記球状嵌合部材に形成されたアンテナ。
【請求項２】
前記球体と前記スプリングとの間に球台座部材を介在し、その球台座部材に前記球体を受け入れる球体受入用凹部を形成してある請求項１記載のアンテナ。
【発明の詳細な説明】
【技術分野】
【０００１】
本発明は、棒状のアンテナ支持部材と、前記アンテナ支持部材と略同じ方向に向けて延出する延出姿勢と前記アンテナ支持部材に対して傾斜する方向に向ける傾斜姿勢とに切り換えることができるように、前記アンテナ支持部材にて揺動自在に支持される棒状のアンテナ部材とが設けられたアンテナに関する。
【背景技術】
【０００２】
かかるアンテナは、例えば、携帯電話や移動体端末等に用いられるものであって、棒状のアンテナ部材を延出姿勢と傾斜姿勢とに切り換えることにより、アンテナを受信に適した適切な方向に向けることができるようにしたものである。
【０００３】
従来、この種のアンテナでは、図４、図５に示すように、アンテナ部材２が、その基端部６に先端が丸くかつ枢支軸用第１貫入孔１６が形成された板状の突出部１７が形成され、アンテナ支持部材１が、その先端部４に切り欠き部１８が形成されるとともにその切り欠き部１８の両側に位置する一対の軸受け部１９の夫々に枢支軸用第２貫入孔２０が形成された筒状に構成され、突出部１７を切り欠き部１８に挿入するとともに、枢支軸としての貫入ピン２１を突出部１７及び一対の軸受け部１９の第１、第２貫入孔１６、２０に抜け止め状態で貫入するように構成され、アンテナ支持部材１の内部に、突出部１７の周部の円弧状箇所２４に接触する球体７と、球体７を突出部１７に押し付けるスプリング９とが収容され、アンテナ部材２を傾斜姿勢に切り換えたときに球体７が係合する凹部２２、及び、アンテナ部材を延出姿勢に切り換えたときに球体が係合する凹部２３が、突出部１７に形成されたものがあった（尚、このような構成は周知慣用技術であり、適切な先行技術文献を開示できないものである。）。
【発明の開示】
【発明が解決しようとする課題】
【０００４】
従来のアンテナにおいては、棒状のアンテナ部材２の基端部６を切削加工して一方側の面出しを行い、棒状のアンテナ部材２を１８０度反転させて、棒状のアンテナ部材２の基端部６を切削加工して他方側の面出しを行なうことにより突出部１７を形成し、突出部１７に第１貫入孔１６を形成し、アンテナ支持部材１の先端部４を切り欠いて切り欠き部１８を形成し、切り欠き部１８の両側に位置する一対の軸受け部１９の夫々に第２貫入孔２０を形成し、突出部１７を切り欠き部１８に挿入し、突出部１７及び一対の軸受け部１９の第１、第２貫入孔１６、２０を同一軸芯上に位置させた状態で、貫入ピン２１をそれら第１、第２貫入孔１６、２０に抜け止め状態で貫入する等、組立作業に手間が多く掛かる煩雑なものであり、さらに、アンテナ支持部材１やアンテナ部材２を棒状にするための旋盤加工や、突出部１７及び一対の軸受け部１９に第１、第２貫入孔１６、２０を形成するためのボール盤加工に加えて、アンテナ部材２に面出しを行なうためのフライス加工が必要になるため、例えば、高価な複合加工機を使用する必要がある等、コスト高になるものであった。
又、球体７に接触する箇所が突出部の先端の円弧状箇所２４に定まっているために、アンテナ部材を延出姿勢と傾斜姿勢とに切り換えることを頻繁に繰り返し行なうと、突出部の円弧状箇所２４が磨耗し易いために、アンテナ部材２を良好に延出姿勢と傾斜姿勢とに安定して切り換えることができなくなる虞があった。
【０００５】
本発明は、上記実状に鑑みて為されたものであって、その目的は、簡単な加工及び組立作業で低廉化を図ることができ、しかも、アンテナ部材を延出姿勢と傾斜姿勢とに切り換えることを良好に行なえるアンテナを提供する点にある。
【課題を解決するための手段】
【０００６】
本発明のアンテナは、棒状のアンテナ支持部材と、前記アンテナ支持部材と略同じ方向に向けて延出する延出姿勢と前記アンテナ支持部材に対して傾斜する方向に向ける傾斜姿勢とに切り換えることができるように、前記アンテナ支持部材にて揺動自在に支持される棒状のアンテナ部材とが設けられたものであって、
その第１特徴構成は、前記アンテナ支持部材が、半球状の内周面を備えかつ切り欠き部が形成された先端部を備えた筒状に構成され、前記アンテナ部材の基端部に取り付けられ、且つ、前記切り欠き部を通して揺動自在に前記アンテナ支持部材における前記先端部の内周面に嵌合する球状嵌合部材と、前記アンテナ支持部材の内部に収容されるとともに、前記球状嵌合部材に接触する球体と、前記アンテナ支持部材の内部に収容されて前記球体を前記球状嵌合部材に押し付けるスプリングとが設けられ、前記アンテナ部材を前記傾斜姿勢に切り換えたときに前記球体が係合する周溝部、及び、前記アンテナ部材を前記延出姿勢に切り換えたときに前記球体が係合する凹部が、前記球状嵌合部材に形成された点にある。
【０００７】
すなわち、球状嵌合部材を切り欠き部を通してアンテナ部材に取り付け、筒状のアンテナ支持部材の内部に球体及びスプリングを収容し、スプリングにて球体を球状嵌合部材に押し付けるようにすると、球状嵌合部材がアンテナ支持部材の先端部の内周面に揺動自在に嵌合することになる。
そして、アンテナ部材を延出姿勢に切り換えたときに球体が凹部に係合し、アンテナ部材を傾斜姿勢に切り換えたときに球体が周溝部に係合することにより、アンテナ部材を延出姿勢と傾斜姿勢とに安定して切り換えることになる。
【０００８】
このように、球状嵌合部材を切り欠き部を通してアンテナ部材に取り付け、筒状のアンテナ支持部材の内部に球体及びスプリングを収容する簡単な作業で、アンテナを組み立てることができるものとなる。しかも、旋盤加工だけで筒状のアンテナ支持部材の先端部に半球状の内周面を形成したり、球状嵌合部材に周溝部や凹部を形成することができるので、例えば、単純加工機を使用するだけで済む等、コストを安くできるものとなる。ちなみに、アンテナ支持部材を大量生産する場合において、プレス加工により筒状のアンテナ支持部材の先端部に半球状の内周面を形成すると、コストを一層安くできるものとなる。
しかも、球体に接触する箇所が球状嵌合部材のほぼ全面に亘るものであるので、アンテナ部材を延出姿勢と傾斜姿勢とに切り換えることを頻繁に繰り返し行なったとしても、球状嵌合部材が万遍なく接触し易くなることにより、局部的な磨耗が無くアンテナ部材を良好に延出姿勢と傾斜姿勢とに切り換えることができるものとなる。
したがって、簡単な加工と組立作業で低廉化を図ることができ、しかも、アンテナ部材を延出姿勢と傾斜姿勢とに安定して切り換えることが長期に亘ってできるアンテナを得るに至った。
【０００９】
本発明の第２特徴構成は、上記第１特徴構成に加えて、前記球体と前記スプリングとの間に球台座部材を介在し、その球台座部材に前記球体を受け入れる球体受入用凹部を形成してある点を特徴とする。
【００１０】
すなわち、球体とスプリングとの間に球台座部材を介在し、その球台座部材に球体を受け入れる球体受入用凹部を形成してあるので、例えば、球体がスプリングに直接接触する構成では、球体がスプリングの端部に形成されたリング状の部分の内方側に嵌まり込むことにより、球体が締め付けられて自由に回転できなくなる虞があり、球体の特定箇所だけが磨耗することにより、アンテナ部材を良好に延出姿勢と傾斜姿勢とに切り換えることができなくなる虞がある。
【００１１】
これに対して、球体とスプリングとの間に球台座部材を介在すると、球体を球体受入用凹部に受け入れることにより、球体がスプリングにより締め付けられること無く自由に回転することができるので、球体が万遍なく接触することになり、アンテナ部材を長期に亘って軽い力で延出姿勢と傾斜姿勢とに切り換えることができるものとなる。
【発明を実施するための最良の形態】
【００１２】
以下、本発明に係るアンテナを移動体端末に適用した構成について説明する。
図１に示すように、移動体端末の本体ＢにアンテナＡを出退自在に設けて構成されている。
図２、図３に示すように、前記アンテナＡは、真鍮製の棒状のアンテナ支持部材１と、そのアンテナ支持部材１と略同じ方向に向けて延出する延出姿勢とアンテナ支持部材１に対して傾斜する方向に向ける傾斜姿勢とに切り換えることができるように、アンテナ支持部材１にて揺動自在に支持される真鍮製の棒状のアンテナ部材２とからなる。
【００１３】
前記アンテナ支持部材１は、筒状の胴体部３と、胴体部３の内径と同じ半径の半球状の内周面４ａを備えかつアンテナ支持部材１の長手方向に沿う矩形状の切り欠き部４ｂが形成された椀状の先端部４を備えて棒状に構成されている。
前記アンテナ部材２は、ステンレス製の球状嵌合部材５を取り付ける基端部６を備えて棒状に構成されている。そして、球状嵌合部材５のネジ５ａが、切り欠き部４ｂを通して基端部６に形成されたネジ孔６ａに取り付けられ、球状嵌合部材５の球状部分５ｂが、アンテナ支持部材１における先端部４の内周面４ａに嵌合するように構成されている。したがって、球状嵌合部材５が、アンテナ部材２の基端部６に取り付けられ、且つ、切り欠き部４ｂを通して揺動自在にアンテナ支持部材１における先端部４の内周面４ａに嵌合することになる。
【００１４】
前記胴体部３の内径よりも小さい半径の球体としてのステンレス製のボール７が、胴体部３の内部に収容されて、球状嵌合部材５の球状部分５ｂに接触し、胴体部３の内径とほぼ同じ径の略円柱状の球台座部材８が、胴体部３の内部に収容されて、球台座部材８の上部に形成された逆円錐形の球体受入用凹部８ａにボール７を受け入れ、スプリング９が、胴体部３の内部に収容されて、球台座部材８の下部に接触し、胴体部３の内径とほぼ同じ径の略円柱状の固定部材１０が、胴体部３に固定されて、スプリング９を下方から押圧してある。したがって、スプリング９が、球台座部材８を介在した状態でボール７を球状嵌合部材５に押し付けることになる。
【００１５】
そして、アンテナ部材２を傾斜姿勢に切り換えたときにボール７が係合する周溝部５ｃ、及び、アンテナ部材２を延出姿勢に切り換えたときにボール７が係合する凹部５ｄが、球状嵌合部材５に形成されている。
説明を加えると、球状嵌合部材５における球状部分５ｂの下端に凹部５ｄが形成され、球状部分５ｂの上端と下端との間に周溝部５ｃが赤道方向に沿って形成されている。そして、アンテナ部材２を延出姿勢に切り換えたときにボール７が凹部５ｄに係合し、アンテナ部材２を傾斜姿勢に切り換えたときにボール７が周溝部５ｃに係合することにより、アンテナ部材２を延出姿勢と傾斜姿勢とに切り換えるように構成されている。
【００１６】
前記アンテナ支持部材１、アンテナ部材２、球状嵌合部材５を製作するにあたり、旋盤加工だけで、筒状の胴体部３の先端部に椀状の先端部４を形成したり、球状嵌合部材５の球状部分５ｂに周溝部５ｃや凹部５ｄを形成することができるので、単純加工機を使用するだけで済む等、コストを安くできるものとなる。
【００１７】
次に、アンテナＡの組立作業について説明する。
球状嵌合部材５のネジ５ａを切り欠き部４ｂを通してアンテナ部材２の基端部６に形成されたネジ孔６ａに取り付け、アンテナ支持部材１の胴体部３にボール７及びスプリング９を収容し、アンテナ支持部材１の胴体部３に固定部材１０を固定すると、球状嵌合部材５の球状部分５ｂがアンテナ支持部材１の先端部４の内周面４ａに揺動自在に嵌合することになるので、簡単な組立作業にてアンテナを組み立てることができるものとなる。
【００１８】
〔別実施の形態〕
（１）上記実施の形態では、球状部分５ｂの上端と下端との間に周溝部５ｃが赤道方向に沿って形成される構成を例示したが、このような構成に代えて、球状部分５ｂの上端と下端との間に複数の周溝部５ｃが上下方向に間隔を隔てて形成される構成としてもよい。
【００１９】
（２）上記実施の形態では、ボール７とスプリングとの間に球台座部材８を介在する構成を例示したが、このような構成に代えて、球台座部材８を設けずにボール７にスプリングを接触させる構成としてもよい。
【００２０】
（３）上記実施の形態では、球台座部材８の上部に逆円錐形の球体受入用凹部８ａを形成した構成を例示したが、球台座部材８の上部に椀状の球体受入用凹部を形成した構成としてもよく、あるいは、球台座部材８の上部に球体受入用凹部を形成しなくてもよい。
（４）上記実施の形態では、アンテナを移動体端末に適用した構成を例示したが、携帯電話に適用してもよく、種々の無線機器に適用可能である。
【図面の簡単な説明】
【００２１】
【図１】アンテナ及び移動体端末の斜視図
【図２】本実施形態におけるアンテナの縦断面図
【図３】本実施形態におけるアンテナの分解図
【図４】従来構成におけるアンテナの縦断面図
【図５】従来構成におけるアンテナの分解図
【符号の説明】
【００２２】
１          アンテナ支持部材
２          アンテナ部材
４          先端部
４ａ        内周面
４ｂ        切り欠き部
５          球状嵌合部材
５ｃ        周溝部
５ｄ        凹部
６          基端部
７          球体
８          球台座部材
８ａ        球体受入用凹部
９          スプリング
【図１】
2009010735.tif 000003
【図２】
2009010735.tif 000004
【図３】
2009010735.tif 000005
【図４】
2009010735.tif 000006
【図５】
2009010735.tif 000007